(57)【特許請求の範囲】
【請求項１】
容器本体の口部を閉栓するキャップが取り付けられた非炭酸飲料用の容器であって、
前記キャップは、
前記口部の上方を覆う天部と、
前記天部に連結され、前記口部の側方を覆う筒部と、を有し、
前記天部の下面には、下方に延在するインナーリング及びアウターリングが形成され、
前記アウターリングは、前記筒部の内周面と前記インナーリングとの間に形成され、
前記口部の上端部が径方向において前記アウターリング及び前記インナーリングにより挟み込まれ、
前記インナーリングは、前記天部の下面から外側に延びてから屈曲箇所で内側へと屈曲して延び、
前記天部の上面は、前記インナーリングがある位置から中央部にかけて、ドーム状に上方に湾曲し、
前記天部の上面は、ベース面と、前記インナーリングの最も外側部位である前記屈曲箇所よりも内側の位置において前記ベース面から上方に突出するスタンプ用凸部と、当該上面の外周縁に沿って延在する外周縁面と、を有し、
前記外周縁面は、高さレベルが前記ベース面よりも高くて前記スタンプ用凸部のスタンプ面と同じ又はこれよりも低く、
前記外周縁面は、前記アウターリングよりも外側に位置し、
前記キャップは、閉栓された際に前記口部によって前記インナーリングの前記屈曲箇所が内側に押されることで前記ドーム状の湾曲変形が生じ、
前記キャップについて、前記天部の上面にインクを付着させてスタンプとして使用したときに、前記スタンプ面及び前記外周縁面に付着したインクが転写される、容器。
【請求項２】
前記スタンプ面及び前記外周縁面には、前記ベース面よりもインクの付着性を向上するための表面加工が施されている、請求項１に記載の容器。
【請求項３】
前記スタンプ面は、シボ加工されている、請求項１に記載の容器。
【請求項４】
前記キャップは、樹脂からなり、
当該容器は、前記非炭酸飲料を充填したプラスチックボトルである、請求項１から３のいずれか一項に記載の容器。
【請求項５】
前記スタンプ用凸部は、前記ベース面から０．２ｍｍ〜０．３ｍｍだけ上方に突出している、請求項１から４のいずれか一項に記載の容器。
【請求項６】
非炭酸飲料用の容器の容器本体の口部を閉栓するために当該口部に取り付けられる樹脂製のキャップであって、
閉栓された際に前記口部の上方を覆う天部と、
前記天部に連結され、閉栓された際に前記口部の側方を覆う筒部と、を有し、
前記天部の下面には、下方に延在するインナーリング及びアウターリングが形成され、
前記アウターリングは、前記筒部の内周面と前記インナーリングとの間に形成され、
当該キャップが閉栓された状態では、前記口部の上端部が径方向において前記アウターリング及び前記インナーリングにより挟み込まれ、
前記インナーリングは、前記天部の下面から外側に延びてから屈曲箇所で内側へと屈曲して延び、
前記天部の上面は、当該上面の外周縁に沿って延在する外周縁面を有し、
前記外周縁面は、前記天部の上面の最も高さレベルの高い位置にあり、当該上面の窪んだ部分を囲んでいて、かつ、前記アウターリングよりも外側に位置しており、
前記天部の上面には、前記窪んだ部分に、前記インナーリングの最も外側部位である前記屈曲箇所よりも内側の位置においてベース面から上方に突出するスタンプ用凸部が形成されており、
前記天部の上面は、当該キャップが閉栓された際に、前記口部によって前記インナーリングの前記屈曲箇所が内側に押されることで前記インナーリングがある位置から中央部にかけてドーム状に上方に湾曲変形し、前記窪んだ部分が隆起して前記スタンプ用凸部のスタンプ面が前記天部の上面の最も高さレベルの高い位置となる、キャップ。
【請求項７】
前記天部の上面は、当該キャップが閉栓された際に、前記スタンプ面が前記外周縁面と同じ又はこれより高い位置となるように変形し、
当該キャップについて、前記天部の上面にインクを付着させてスタンプとして使用したときに、前記スタンプ面及び前記外周縁面に付着したインクが転写される、請求項６に記載のキャップ。
【請求項８】
前記スタンプ面及び前記外周縁面には、前記ベース面よりもインクの付着性を向上するための表面加工が施されている、請求項７に記載のキャップ。
【発明の詳細な説明】
【技術分野】
【０００１】
本発明は、容器及びキャップに関するものである。
【背景技術】
【０００２】
飲料、洗剤、石鹸、シャンプー、ソースなど各種の液体が容器に充填され、キャップにより閉栓され、商品として流通している。この種の容器及びキャップは、金属や樹脂により形成されている。
【０００３】
例えば、飲料用ＰＥＴボトルに使用されるキャップは、ポリエチレンやポリプロピレンなどの樹脂を圧縮成形又は射出成形することにより形成されている（例えば特許文献１参照）。飲料充填装置において、ＰＥＴボトルとキャップとは別々に搬送され、ＰＥＴボトルへの飲料充填がなされた後、キャップがＰＥＴボトルの口部に巻き締められ、口部を閉栓している。
【先行技術文献】
【特許文献】
【０００４】
【特許文献１】特開２０１０−１４３０８１号公報
【発明の開示】
【発明が解決しようとする課題】
【０００５】
このような既存のキャップは、容器を閉栓するためにもっぱら使用され、使用後にリサイクル又は廃棄されるだけである。
【０００６】
本発明は、閉栓機能以外の機能を具備する、付加価値のあるキャップ及び容器を提供することをその目的としている。
【課題を解決するための手段】
【０００７】
本発明の一態様に係る容器は、容器本体の口部を閉栓するキャップが取り付けられた容器であって、キャップは、口部の上方を覆う天部と、天部に連結され、口部の側方を覆う筒部と、を有し、天部の上面は、ベース面と、ベース面から上方に突出するスタンプ用凸部と、を有する。
【０００８】
この態様によれば、容器本体の口部の上方を覆う天部が有効に利用されて、天部の上面にスタンプ用凸部が形成される。これにより、閉栓機能に加えて、スタンプ機能をキャップに具備させることができる。したがって、例えば容器の使用後にキャップを取り外した消費者は、キャップをリサイクル又は廃棄する前にスタンプとして利用することができる。
【０００９】
ここで、一般にキャップを樹脂で成形した場合、成形収縮によって天部の上面が窪む現象が生じ得る（以下、この現象を「成形収縮現象」という。）。この成形収縮現象は、天部の下面にインナーリングが形成されている場合、主としてインナーリングよりも内側で生じ、天部の中央部で窪みの深さが最も大きくなり得る。
【００１０】
他方、このような窪みが生じたキャップを容器本体の口部への閉栓に供し、口部によってキャップのインナーリングを内側に押すことで、窪みが戻り、天部の上面が、インナーリングがある位置から中央部にかけてドーム状に上方に湾曲変形し得ることが本発明者の知見により得られた（以下、ドーム状に湾曲変形する現象を「ドーミング現象」という。）。また、ドーミング現象が起きると、キャップを開栓しても、所定時間（例えば２４時間）は、天部の上面のドーム状が維持されることも本発明者の知見により得られた。
【００１１】
したがって、これらの知見に基づくと、本発明の一態様においては、天部の下面には、下方に延在するインナーリングが形成され、スタンプ用凸部は、インナーリングの最も外側部位よりも内側に位置しているとよい。
【００１２】
こうすることで、ドーミング現象によってドーム状に上方に湾曲し得る部分にスタンプ用凸部を位置させることができるため、スタンプ性が確保しやすくなる。すなわち、仮にスタンプ用凸部の一部がインナーリングの最も外側部位よりも外側に位置していたとすれば、その一部ではインクの転写が欠ける可能性があるが、スタンプ用凸部がインナーリングの最も外側部位よりも内側に位置しているため、インクの転写が欠けなくてすむ。
【００１３】
また、本発明の一態様においては、天部の上面は、インナーリングがある部分から中央部にかけて、ドーム状に上方に湾曲しているとよい。
【００１４】
こうすることで、スタンプ性をより確実に確保することができる。
【００１５】
さらに、キャップは、閉栓された際に口部によってインナーリングが内側に押されることで天部の上面がドーム状に湾曲変形し、かつ、開栓されて所定時間の経過後でもドーム状が維持されるとよい。
【００１６】
こうすることで、容器本体の口部とキャップのインナーリングとを関連づけてドーミング現象を起こすことができ（成形収縮現象で生じた窪みを戻すことができ）、キャップの天部の上面におけるスタンプ性を確保することができる。また、スタンプ性を所定時間維持できるため、スタンプ機能を有するキャップ付き容器としての商品性を高めることができる。
【００１７】
本発明のいくつかの態様においては、天部の上面は、当該上面の外周縁に沿って延在する外周縁面をさらに有し、外周縁面は、高さレベルがベース面よりも高くてスタンプ用凸部のスタンプ面と同じ又はこれよりも低く、キャップについて、天部の上面にインクを付着させてスタンプとして使用したときに、スタンプ面及び外周縁面に付着したインクが転写されてもよい。
【００１８】
こうすることで、スタンプ面上のインクのみならず、外周縁面上のインクについても転写させることができる。したがって、スタンプ面による転写部分を囲む枠を転写させることができる。
【００１９】
上記の場合、スタンプ面及び外周縁面には、ベース面よりもインクの付着性を向上するための表面加工（例えばシボ加工）が施されているとよい。
【００２０】
こうすることで、インクを転写させる面（スタンプ面及び外周縁面）の転写性を向上することができる。
【００２１】
本発明のいくつかの態様においては、スタンプ用凸部は、シボ加工されたスタンプ面を有するとよい。
【００２２】
こうすることで、比較的簡単な表面加工により、インクを転写させる面（スタンプ面）の転写性を向上することができる。
【００２３】
本発明のいくつかの態様においては、キャップは、樹脂からなり、当該容器は、飲料を充填したプラスチックボトルであるとよい。
【００２４】
こうすることで、飲料用プラスチックボトルの樹脂製キャップにスタンプ機能を具備させることができる。
【００２５】
本発明のいくつかの態様においては、スタンプ用凸部は、ベース面から０．２ｍｍ〜０．３ｍｍだけ上方に突出しているとよい。
【００２６】
こうすることで、スタンプ性を確保しつつ、キャップの全高の増加を抑えることができる。すなわち、仮に、０．２ｍｍ未満であると、押印時にベース面上のインクが転写され得るが、０．２ｍｍ以上にすると、ベース面上のインクが転写されることなくスタンプ用凸部上のインクを転写することができる。また、０．３ｍｍを超えると、スタンプ用凸部の全高が大きくなってしまい、例えば既存の飲料充填装置におけるキャップ搬送機構に影響を及ぼし得るが、０．３ｍｍ以下にすると、そのような影響を回避することができる。
【００２７】
本発明の一態様に係るキャップは、容器本体の口部を閉栓するために当該口部に取り付けられる樹脂製のキャップであって、閉栓された際に口部の上方を覆う天部と、天部に連結され、閉栓された際に口部の側方を覆う筒部と、を有し、天部の上面には、当該上面の窪んだ部分に、ベース面から上方に突出するスタンプ用凸部が形成されており、天部の上面は、当該キャップが閉栓された際に、窪んだ部分が隆起してスタンプ用凸部のスタンプ面が天部の上面の最も高さレベルの高い位置となるように変形する。
【００２８】
この態様によれば、閉栓される前のキャップは、例えば成形収縮現象によって天部の上面に窪んだ部分があり、かかる窪んだ部分にスタンプ用凸部が形成されている。他方、閉栓されると、キャップは、例えばドーミング現象によって窪んだ部分が隆起する。そして、スタンプ用凸部のスタンプ面が天部の上面の最も高さレベルの高い位置となる。すなわち、容器本体の口部に閉栓されることでスタンプ機能を具備するキャップを提供することができる。
【００２９】
本発明の一態様に係るキャップにおいては、天部の上面は、当該上面の外周縁に沿って延在する外周縁面を有し、外周縁面は、天部の上面の最も高さレベルの高い位置にあり、窪んだ部分を囲んでいるとよい。
【００３０】
こうすることで、閉栓前のキャップの取扱い性を向上することができる。具体的には、閉栓前のキャップを上下逆さにして置いておく場合や搬送する場合に、外周縁面を接地面又は搬送面に接触させることができる。これにより、キャップの姿勢が傾かないため、閉栓前のキャップを安定して保管し、搬送させることができる。
【００３１】
この場合、天部の上面は、当該キャップが閉栓された際に、スタンプ面が外周縁面と同じ又はこれより高い位置となるように変形し、当該キャップについて、天部の上面にインクを付着させてスタンプとして使用したときに、スタンプ面及び外周縁面に付着したインクが転写されるとよい。
【００３２】
こうすることで、スタンプ面による転写性を外周縁面で損なわずに済む。また、外周縁面上のインクについても転写させることができるため、スタンプ面による転写部分を囲む枠を転写させることができる。
【００３３】
この場合、スタンプ面及び外周縁面には、ベース面よりもインクの付着性を向上するための表面加工が施されているとよい。
【００３４】
こうすることで、インクを転写させる面（スタンプ面及び外周縁面）の転写性を向上することができる。
【００３５】
本発明のいくつかの態様に係るキャップにおいては、天部の下面には、下方に延在するインナーリングが形成されており、スタンプ用凸部は、インナーリングの最も外側部位よりも内側に位置しているとよい。また、天部の上面は、当該キャップが閉栓された際に、インナーリングがある位置から中央部にかけて、ドーム状に上方に湾曲変形するとよい。さらに、当該キャップは、閉栓された際に口部によってインナーリングが内側に押されることでドーム状の湾曲変形が生じ、かつ、開栓されて所定時間の経過後でもドーム状が維持されるとよい。
【００３６】
こうすることで、上述の成形収縮現象及びドーミング現象を考慮した、スタンプ機能を有するキャップを提供することができる。
【００３７】
本発明の別の態様に係るキャップは、容器本体の口部を閉栓するために当該口部に取り付けられるキャップであって、閉栓された際に口部の上方を覆う天部と、天部に連結され、閉栓された際に口部の側方を覆う筒部と、を有し、天部の上面は、ベース面と、ベース面から上方に突出するスタンプ用凸部と、を有し、スタンプ用凸部は、ベース面よりもインクの付着性を向上するための表面加工が施されたスタンプ面を有する。
【００３８】
この態様によれば、天部が有効に利用されて、天部の上面にスタンプ用凸部が形成される。これにより、閉栓機能に加えて、スタンプ機能をキャップに具備させることができる。加えて、スタンプ面に表面加工を施しているため、インクを転写させるスタンプ面の転写性を向上させることができる。
【００３９】
この場合、天部の上面は、当該上面の外周縁に沿って延在する外周縁面をさらに有し、外周縁面は、天部の上面の最も高さレベルの高い位置にあり、表面加工が施されているとよい。
【００４０】
こうすることで、上述のように、閉栓前のキャップの取扱い性及び外周縁面の転写性を向上することができる。
【００４１】
本発明のいくつかの態様に係るキャップは、コンプレッション成形により形成されているとよい。
【００４２】
こうすることで、例えば射出成形の場合と比べて、スタンプ用凸部によるスタンプデザインの幅に自由度をもたせることができると共に、スタンプ機能の追加のために必要となる既存の成形設備・金型に対する投資が少なくて済む。
【図面の簡単な説明】
【００４３】
【図１】実施形態に係る容器の正面図である。
【図２】図１の容器の口部を拡大して示す断面図である。
【図３】図２の口部を実施形態に係るキャップで閉栓した状態の半断面図である。
【図４】図３のキャップの平面図である。
【図５】図３のキャップをスタンプとして使用したときに、台紙に転写されるデザインの一例である。
【図６】図３のキャップの天部の上面を拡大して示す端面図であり、（ａ）は閉栓前の状態、（ｂ）は閉栓後の状態を示している。
【発明を実施するための形態】
【００４４】
添付図面を参照して、本発明の好適な実施形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。
【００４５】
実施形態に係るキャップ付き容器は、飲料、洗剤、石鹸、シャンプー、ソースなど各種の液体を内部に貯留することができる。飲料としては、水、お茶又は果汁等の非炭酸飲料のほか、炭酸飲料も可能である。容器は、アルミニウム又はステンレス等の金属や、樹脂により形成することができる。同様に、キャップは、アルミニウム又はステンレス等の金属や、樹脂により形成することができる。以下では、容器の例として飲料用のプラスチックボトルを、また、キャップの例として樹脂製キャップを説明する。
【００４６】
図１に示すように、プラスチックボトル１（以下「ボトル１」という。）は、上側から順に、口部２、肩部３、胴部４及び底部５を有する。これらの部分（２、３、４、５）は一体に形成され、内部に飲料を貯留するための有底筒状の容器本体６を構成する。容器本体内６に飲料が充填され、口部２がキャップ２００により閉栓される（参照：図３）。
【００４７】
ボトル１は、例えば、ポリエチレン、ポリプロピレン、ポリエチレンテレフタレートなどの熱可塑性樹脂を主材料として、二軸延伸ブロー成形等の延伸成形法により成形される。
ボトル１の製造工程の一例を説明する。まず、金型内に熱可塑性樹脂を射出し、プリフォームを射出成形する。プリフォームは、口部２と同形状の口部と、その下側に連結される有底の筒状部と、で構成される。射出成形後は、プリフォームをブロー成形機にセットして、プリフォームの筒状部を加熱する。そして、延伸ロッドによって筒状部を縦方向に延伸させると共に、圧縮空気を吹き込んで筒状部を横方向に延伸させる。延伸させた筒状部の部位を金型の内面に押し付け、その後固化させる。これにより、肩部３、胴部４及び底部５が成形され、ボトル１の一連の成形が完了する。
【００４８】
図１及び２に示すように、口部２は、上端を開口した円筒状の周壁１０を有している。周壁１０は、上端面を構成する天面１１と、天面１１から延びる外周面１２と、天面１１から延びる内周面１４と、を有している。天面１１は、例えば平坦な面からなっている。外周面１２には、天面１１側から順に、ねじ部１６、ビードリング１８及びサポートリング２０が突出形成されている。一方、内周面１４は、上下方向に段差なしでストレートに延在している。ねじ部１６は、１条ねじ、２条ねじ又は３条ねじで構成することができる。口部２は、ねじ部１６にキャップ２００が巻き締められることで閉栓される。
【００４９】
図３及び４に示すように、キャップ２００は、いわゆるスクリューキャップとして構成され、容器本体６の口部２に取り外し可能に取り付けられている。キャップ２００は、タンパーエビデント性（不正開封表示機能）を有しないものでもよいが、ここではタンパーエビデント性を有している。
【００５０】
キャップ２００は、キャップ本体３０及びタンパーエビデントバンド３２を有する。キャップ本体３０は、閉栓された際に口部２の上方を覆う天部３６と、閉栓された際に口部２の側方を覆う筒部３８と、を有する。筒部３８は、天部３６の周縁に連結されており、天部３６からスカート状に垂下している。筒部３８の下端には、切り離し可能なブリッジ４２を介してタンパーエビデントバンド３２が連結されている。タンパーエビデントバンド３２の下部内面に上側内向きに形成されたタブ４４が、ビードリング１８とサポートリング２０との間における外周面１２に係合している。また、筒部３８の内周面には、閉栓された際に口部２のねじ部１６に螺合するねじ部５０が形成されている。
【００５１】
天部３６の下面３６ａには、下方に延在するアウターリング５２及びインナーリング５４が形成されている。アウターリング５２は、筒部３８の内周面とは僅かな間隔をおいて天部３６の下面３６ａから環状に突出している。アウターリング５２の断面形状は、任意であるが、ここでは正面視逆台形状に形成されている。インナーリング５４は、アウターリング５２よりも内径側（キャップ２００の中心軸側）に位置し、アウターリング５２よりも長く、天部３６の下面３６ａから環状に突出している。インナーリング５４の断面形状は、任意であるが、ここでは天部３６から外側に僅かに延びてから屈曲箇所５４ａで内側へと屈曲して延びる形状で形成されている。アウターリング５２及びインナーリング５４との間には小突起５６が形成されており、小突起５６は、これらリング５２、５４よりも突出長さが短く、天部３６の下面３６ａに環状に形成されている。
【００５２】
図３に示すように、キャップ２００が口部２に取り付けられて閉栓された状態では、口部２の上端部が径方向においてアウターリング５２及びインナーリング５４により挟み込まれ、口部２がキャップ２００によりシールされる。具体的には、ねじ部５０とねじ部１６とが螺子締結され、小突起５６が天面１１に押し付けられるように接触する。また、アウターリング５２は、天面１１と外周面１２とをつなぐコーナー部分の下側から外周面１２のストレート面にかけて接触する。一方、インナーリング５４は、屈曲箇所５４ａにおいて内周面１４に接触する。このとき、インナーリング５４は、屈曲箇所５４ａが内周面１４によって内側に押され、天部３６の上面３６ｂを上方に湾曲変形させる（上述のドーミング現象である。）
【００５３】
一方、この閉栓状態からキャップ２００を開栓方向に回転操作すると、ブリッジ４２が破断して、タンパーエビデントバンド３２がキャップ本体３０から切り離され、サポートリング２０の上面に落下する。落下後のタンパーエビデントバンド３２は、サポートリング２０とビードリング１８とによって上下方向に容易に抜けないように保持される。
【００５４】
キャップ２００は、ポリエチレン又はポリプロピレンなどの熱可塑性樹脂を主材料として、成形される。キャップ２００を成形する方法として、例えば射出成形やコンプレッション成形（圧縮成形）を用いることができ、その中でも、コンプレッション成形を用いることが好ましい。射出成形の場合、キャップ２００の上面３６ｂにゲート痕が残り、上面３６ｂに付与するスタンプデザインが悪くなる可能性があるからである。また、射出成形の場合、キャップ成形用の既存金型にスタンプデザインのための構成を追加するのに多大な費用がかかり、複数のスタンプデザインを採用するのに不向きとなる。これに対し、コンプレッション成形であれば、キャップ２００の上面３６ｂにゲート痕ができないため、上面３６に付与するスタンプデザインに自由度をもたせることができる。加えて、射出成形に比べて、既存金型への投資をそれほどかけずに、スタンプデザインのための構成を既存金型に追加することができる。
【００５５】
続いて、天部３６の上面３６ｂについて説明する。
上面３６ｂは、平面視、円形状に形成されている。上面３６ｂは、ベース面９０と、ベース面９０から上方に突出するスタンプ用凸部１００と、上面３６ｂの外周縁に沿って延在する外周縁面１１０と、を有する。ベース面９０は、上面３６ｂにおける最も高さレベルの低い面を構成する。
【００５６】
スタンプ用凸部１００は、その頂面がスタンプ面１０２として機能する。スタンプ面１０２は、ベース面９０から０．２ｍｍ〜０．３ｍｍだけ上方に突出するのが好ましい。０．２ｍｍ未満であると、スタンプする台紙の柔らかさ等によっては、スタンプ時にスタンプ面１０２上のインクだけでなく、ベース面９０上のインクも台紙に転写され得る。０．２ｍｍ以上とすることで、ベース面９０上のインクを転写させずに済み、スタンプ性を確保することができる。他方、０．３ｍｍを超えると、スタンプ用凸部１００の全高が大きくなってしまい、既存の飲料充填装置におけるキャップ搬送機構に影響を及ぼし得る。０．３ｍｍ以下にすることで、そのような影響を回避することができる。
【００５７】
スタンプ用凸部１００は、一つ又は複数の凸部で構成することができる。また、スタンプ用凸部１００は、一つ又は複数の凸部により、キャラクタ、文字、記号、図形など、各種の所望のデザインを表すことができる。例えば、図４に示すスタンプ用凸部１００では、動物又は人のようなキャラクタを表す凸部１０４と、「テクテク」という文字を表す凸部１０６と、がそれぞれ複数設けられている。もちろん、スタンプ用凸部１００は、他のデザインを採用することもできる。
【００５８】
スタンプ用凸部１００におけるデザインは、台紙に転写されたときのデザイン１０８が識別できるように反転している（参照：図４及び６）。スタンプ用凸部１００における各凸部の幅は、例えば、成形に使用する金型やキャップ２００の素材により最小値が決定される。一例を挙げると、ポリエチレン又はポリプロピレンによりキャップ２００を圧縮成形する場合、スタンプ用凸部１００における各凸部の幅は、０．０５ｍｍ以上であることが好ましい。
【００５９】
スタンプ用凸部１００は、上面３６ｂの中央部よりに形成されている。インナーリング５４との関係では、スタンプ用凸部１００は、インナーリング５４の最も外側部位よりも内側に（すなわち、キャップ２００の中心軸側に）位置している。これは、キャップ２００を閉栓した際に生じるドーミング現象によって上方に湾曲変形する上面３６ｂの部分が、主としてインナーリング５４よりも内側となることに基づくものである。すなわち、仮にスタンプ用凸部の一部がインナーリング５４の最も外側部位よりも外側に位置していたとしても、当該一部ではスタンプとして使用された際にインクの転写が欠ける可能性があることに鑑みたものである。
【００６０】
本実施形態では、スタンプ用凸部１００は、インナーリング５４の根元外側部５４ｂ及び根元内側部５４ｃのうち、根元外側部５４ｂよりも径方向内側に位置している。すなわち、スタンプ用凸部１００は、インナーリング５４の最も外側部位である屈曲箇所５４ａよりも内側に位置している。ただし、他の実施態様では、スタンプ用凸部１００を根元内側部５４ｃよりも径方向内側に位置させてもよい。また、別の実施態様では、インナーリング５４の先端部５４ｄよりも径方向内側にスタンプ用凸部１００を位置させてもよい。この先端部５４ｄは、屈曲箇所５４ａよりも径方向内側に位置すると共に、径方向において根元外側部５４ｂと根元内側部５４ｃとの間に位置する。
【００６１】
なお、別の実施態様では、スタンプ用凸部１００は、インナーリング５４の最も外側部位よりも内側の範囲のみならず、インナーリング５４の最も外側部位よりも外側に位置させることも可能である。例えば、スタンプ用凸部１００の全高を比較的高く確保できる場合（例えば０．３ｍｍを超えた高さを確保できる場合）など、スタンプ用凸部１００をインナーリング５４の最も外側部位よりも外側の範囲に形成してもインクの転写の欠けが生じない場合には、スタンプ用凸部１００をインナーリング５４の最も外側部位よりも外側の範囲に形成してもよい。
【００６２】
外周縁面１１０は、円形の上面３６ｂに対応して、円環状に形成されている。外周縁面１１０は、ベース面９０及びスタンプ用凸部１００の外側に位置している。換言すると、外周縁面１１０は、ベース面９０及びスタンプ用凸部１００を囲んでいる。アウターリング５２との関係では、外周縁面１１０は、アウターリング５２よりも外側に（すなわち、アウターリング５２よりもキャップ２００の外周側に）位置している面を構成している。
【００６３】
図５に示すように、天部３６の上面３６ｂのうち、スタンプ面１０２及び外周縁面１１０が、スタンプとして使用された際の転写に寄与する。すなわち、キャップ２００について、上面３６ｂにインクを付着させてスタンプとして使用したときに、スタンプ面１０２及び外周縁面１１０に付着したインクが台紙に転写される。
【００６４】
ここで、既存の一般のキャップでは、天部の上面は鏡面加工されている。これに対し、本実施形態のキャップ２００では、天部３６の上面３６ｂのうち、スタンプ面１０２及び外周縁面１１０には、ベース面９０よりもインクの付着性を向上するための表面加工が施されている。そのような表面加工は、例えばシボ加工である。シボ加工の種類は問わないが、例えば梨地加工を用いることができる。シボ加工を施すことで、細かい凹凸が付けられるため、インクをはじく鏡面加工に比べて、スタンプ面１０２及び外周縁面１１０におけるインクの密着性が向上し、転写性が向上する。
【００６５】
次に、図６を参照して、キャップ２００の閉栓前後における天部３６の形状変化について、本実施形態における成形収縮現象及びドーミング現象に言及しつつ説明する。なお、閉栓前とは、キャップ２００を容器１の口部２に最初に取り付ける又は巻き締める前の状態をいう。なお、キャップ２００が容器１とは別に単体で流通する場合、キャップ２００は閉栓前の状態にある。また、閉栓後又は閉栓された際とは、キャップ２００を容器１の口部２に最初に取り付けた又は巻き締めた後の状態をいう。
【００６６】
＜閉栓前（巻締め前）：図６（ａ）＞
図６（ａ）に示すように、閉栓前では、天部３６の上面３６ｂには、窪んだ部分１５０が形成されている。この窪んだ部分１５０は、成形収縮現象によるものである。すなわち、窪んだ部分１５０は、キャップ２００の成形収縮によって生じたヒケである。具体的には、キャップ２００を樹脂により成形すると、上面３６ｂが窪む又は反るように収縮する。この収縮によって生じたへこみ部分が窪んだ部分１５０を構成する。窪んだ部分１５０は、主として、インナーリング５４よりも径方向内側にて生じ得る。窪んだ部分１５０は、天部３６の中心部において最も深く、天部３６の中心部から径方向外側に向かうにつれて徐々に浅くなる。
【００６７】
窪んだ部分１５０には、ベース面９０及びスタンプ用凸部１００が形成されている。換言すると、窪んだ部分１５０は、外周縁面１１０によって周囲を囲まれている。外周縁面１１０は、天部３６の上面３６ｂの最も高さレベルの高い位置にある。したがって、スタンプ用凸部１００のスタンプ面１０２は、外周縁面１１０よりも高さレベルが低い。
【００６８】
このように、閉栓前のキャップ２００について、上面３６ｂの最も高さレベルの高い位置に外周縁面１１０を形成しておくことで、閉栓前のキャップ２００の取扱い性を向上することができる。具体的には、閉栓前のキャップ２００を上下逆さにして置いておく場合や搬送する場合に、外周縁面１１０を接地面又は搬送面に接触させることができる。これにより、キャップ２００の姿勢が傾かないため、閉栓前のキャップ２００を安定して保管し、搬送させることができる。
【００６９】
＜閉栓後（巻締め後）：図６（ｂ）＞
図６（ｂ）に示すように、閉栓後では、天部３６の上面３６ｂが上方にドーム状に湾曲し、スタンプ面１０２の高さレベルが上昇する。これは、ドーミング現象によるものである。すなわち、キャップ２００が閉栓された際に、口部２によってインナーリング５４が内側に押される。すると、その力が天部３６におけるインナーリング５４の内側部分に作用する。それにより、上面３６ｂが、インナーリング５４がある位置から中央部にかけてドーム状に上方に湾曲変形する。すなわち、窪んだ部分１１０が隆起して、スタンプ面１０２が上面３６ｂの最も高さレベルの高い位置となる。スタンプ面１０２は、天部３６の中心部ほど高さレベルが高く、外周縁面１１０の近くでは高さレベルが外周縁面１１０と同じ又はこれよりも高くなる。なお、閉栓後では、閉栓前に存在していた窪んだ部分１５０は消失する。
【００７０】
＜開栓後＞
いったんドーミング現象が起きると、キャップ２００を開栓又は取り外しても、キャップ２００は、しばらくの間、閉栓後の形状（上面３６ｂのドーム状）が維持される。例えば、所定の条件で開栓（一例を挙げると、巻締直後の第１開栓トルク４９〜２４５Ｎ・ｃｍで開栓）した後、摂氏２３度の環境下において２４時間の経過後であっても維持される。
【００７１】
開栓したキャップ２００をスタンプとして供する場合、例えばキャップ２００を容器１から取り外して、天部３６の上面３６ｂにインクを付着させる。そして、台紙にキャップ２００を押印すると、スタンプ面１０２及び外周縁面１１０に付着したインクが台紙に転写される（図５参照）。
【００７２】
以上説明した本実施形態によれば、開栓機能以外の機能としてスタンプ機能を具備するキャップ２００及び容器１を提供することができる。とりわけ、容器１の口部２に閉栓されることでスタンプ機能を具備することになるキャップ２００を提供することができる。そして、キャップ２００が取り付けられた容器１に関して、消費者は、その使用後にキャップ２００を取り外し、容器１をリサイクルに供する一方で、キャップ２００をリサイクル又は廃棄の前にスタンプとして利用することができる。
【００７３】
また、スタンプ用凸部１００を形成する領域をインナーリング５４の最も外側部位よりも内側にしているため、インクの転写の欠けを抑制した良好なスタンプ性を確保することができる。さらに、外周縁面１１０上のインクの転写も可能としているため、スタンプ面１０２が表すデザインスタンプ部分を囲む枠を転写させることができる。また、スタンプ面１０２及び外周縁面１１０には所定の表面加工が施されているため、これらの面のインク転写性を向上することができる。なお、スタンプ用凸部１００を形成し得る上面３６ｂの領域（スタンプ有効面積）はインナーリング５４との関係で決まるが、数値の一例を示すと、かかるスタンプ有効面積は、外周縁面１１０を除く、上面３６ｂの３０％以上とすればよい。
【００７４】
以上説明した実施形態は、本発明の理解を容易にするためのものであり、本発明を限定して解釈するためのものではない。実施形態が備える各要素並びにその配置、材料、条件、形状、サイズ及び個数等は、例示したものに限定されるわけではなく適宜変更することができる。
【００７５】
例えば、キャップ２００について、容器１の口部２に閉栓しなくとも、予めスタンプ機能を具備するものとして構成してもよい。例えば、素材や成形方法などとの関係でキャップに成形収縮現象及び／又はドーミング現象が生じない場合、閉栓前のキャップは、窪み部分１５０を有しなくてもよい。
【００７６】
また、キャップ２００は、容器１の口部２から取り外し可能でなくてもよい。例えば、キャップ２００を開栓方向に回転操作した際に、ブリッジ４２が破断して、タンパーエビデントバンド３２の大部分がキャップ本体３０から切り離されるものの、タンパーエビデントバンド３２の一部がキャップ本体３０に連結されたままとなるキャップであってもよい。この場合、キャップ２００をスタンプとして使用するときには、キャップ２００を閉栓した状態（キャップ２００を容器１に取り付けた状態）で使用してもよい。あるいは、キャップ本体３０を強く引っ張ることで、キャップ本体３０とタンパーエビデントバンド３２との連結部分を切り離し、容器１から取り外したキャップ２００をスタンプに供してもよい。
【符号の説明】
【００７７】
１…ボトル、２…口部、３…肩部、４…胴部、５…底部、６…容器本体、１０…周壁、１１…天面、１２…外周面、１４…内周面、１６…ねじ部、１８…ビードリング、２０…サポートリング、３０…キャップ本体、３２…タンパーエビデントバンド、３６…天部、３６ａ…下面、３６ｂ…上面、３８…筒部、４２…ブリッジ、４４…タブ、５０…ねじ部、５２…アウターリング、５４…インナーリング、５４ａ…屈曲箇所、５４ｂ…根元外側部、５４ｃ…根元内側部、５４ｄ…先端部、５６…小突起、９０…ベース面、１００…スタンプ用凸部、１０２…スタンプ面、１０４、１０６…凸部、１０８…デザイン、１１０…外周縁面、１５０…窪んだ部分、２００…キャップ
【図１】
0006987116.tif 000002
【図２】
0006987116.tif 000003
【図３】
0006987116.tif 000004
【図４】
0006987116.tif 000005
【図５】
0006987116.tif 000006
【図６】
0006987116.tif 000007